(57)【要約】【課題】シェルの角に生じた隙間からの放射ノイズの拡散を抑制してＥＭＩ対策性能を高める。【解決手段】右折り曲げ部３３ａ及び左折り曲げ部３３ｂは、それぞれ、後板部３２の右縁部及び左縁部から前方に向かって延設されている。右覆い部３４ａ及び左覆い部３４ｂは、それぞれ、右折り曲げ部３３ａ及び左折り曲げ部３３ｂの上方端部に配設されている。右覆い部３４ａは、第１の部位４１と第２の部位４２とで構成されるＬ字形状をもつ。第１の部位４１は、前端で右折り曲げ部３３ａに接続されて前後方向に延設されている。第２の部位４２は、第１の部位４１の後端から右角部３７ａ内に向かって延設され、隙間３８ａを覆っている。右覆い部３４ａと鏡像関係の形状をもった左覆い部３４ｂは、左角部３７ｂ内の隙間３８ｂを覆っている。【選択図】図４
2008198547.tif 000002
【特許請求の範囲】
【請求項１】
コンタクトと、コンタクトを保持するハウジングと、前記ハウジングの少なくとも一部を覆うシェルとを備えるコネクタにおいて、
前記シェルは、一体的に折り曲げ加工された第１の板部と第２の板部と第３の板部と覆い部とを有し、
前記覆い部は、前記第１の板部と前記第２の板部と前記第３の板部とによって規定される角部を覆うように配設されていることを特徴とする、コネクタ。
【請求項２】
前記第２の板部と前記第３の板部は、前記第１の板部から延設されており、
前記シェルは、前記第２の板部から前記第３の板部の少なくとも一部を覆うように延設された第４の板部を更に有し、
前記覆い部は、前記第４の板部から延設されている、
請求項１のコネクタ。
【請求項３】
前記覆い部は、第１の部位と第２の部位とを有し、前記第１の部位は、前記第４の板部の側縁部から前記第３の板部に沿って前記第２の板部に向けて延設され、前記第２の部位は、前記第１の部位の前記第２の板部側端部から前記角部内に延設されている、
請求項２のコネクタ。
【請求項４】
前記覆い部は、前記第１の部位と前記第２の部位との間にノッチを有する、
請求項３のコネクタ。
【発明の詳細な説明】
【技術分野】
【０００１】
本発明は、シールドを備えるコネクタに関し、特に、板部によって規定される角を有するシールドを備えるコネクタに関する。
【背景技術】
【０００２】
特許文献１には、複数の端子と、端子を保持するハウジングと、ハウジングを覆うシールドを備えたコネクタが記載されている。特許文献１のシールドは、ハウジングの複数の面を覆う上板部と１対の側板部と後板部とを有しており、上板部、側板部、及び、後板部は、１枚の導電性部材を折り曲げ加工することにより形成されている。
【０００３】
【特許文献１】特開２００１−８５１１５
【発明の開示】
【発明が解決しようとする課題】
【０００４】
特許文献１のように、導電性部材を折り曲げ加工すると上板部と側板部と後板部で規定される角に隙間が生じる。角に生じた隙間は、放射ノイズの拡散を助長させてコネクタのＥＭＩ(Ｅｌｅｃｔｒｏｍａｇｎｅｔｉｃ  Ｉｎｔｅｒｆｅｒｅｃｅ)対策性能を低下させる。
【０００５】
本発明は、従来よりもＥＭＩ対策性能が高いシールドを備えたコネタクタを提供することを目的とする。
【課題を解決するための手段】
【０００６】
第１のコネクタは、コンタクトと、コンタクトを保持するハウジングと、ハウジングの少なくとも一部を覆うシェルとを備え、シェルは、一体的に折り曲げ加工された第１の板部と第２の板部と第３の板部と覆い部とを有し、覆い部は、第１の板部と第２の板部と第３の板部とによって規定される角部を覆うように配設されているため、角部からの放射ノイズの拡散を小さくしてシールド性能を従来よりも高めることができる。
【０００７】
第２のコネクタは、第１のコネクタにおいて、第２の板部と第３の板部は、第１の板部から延設されており、シェルは、第２の板部から第３の板部の少なくとも一部を覆うように延設された第４の板部を更に有し、覆い部は、第４の板部から延設されている。
【０００８】
第３のコネクタは、第２のコネクタにおいて、覆い部は、第１の部位と第２の部位とを有し、第１の部位は、第４の板部の側縁部から第３の板部に沿って第２の板部に向けて延設され、第２の部位は、第１の部位の第２の板部側端部から角部内に延設されている。
【０００９】
第４のコネクタは、覆い部が第１の部位と第２の部位との間にノッチを有するため、第１の部位と第２の部位との屈曲部分の半径を小さくして覆い部を角部内に収めやすくすることができる。
【発明の効果】
【００１０】
本発明は、角部に覆い部を設けることにより、シールド性能を従来よりも高めることができる。
【発明を実施するための最良の形態】
【００１１】
図１の斜視図及び図２の分解斜視図に示されるように、本実施形態のコネクタ１は、ハウジング１０とシェル１１と２つのコンタクト１２とを備えている。なお、左右方向、上下方向、前後方向は、説明の便宜上規定したものである。
【００１２】
図２に示すように、ハウジング１０は絶縁性材料で直方体状に形成されており、前方に向かって長方形状に開口したスロット２０を有している。スロット２０には、相手方コネクタを嵌合可能なように形成されている。ハウジング１０は、上方を向いた上面２２と、下方を向いた下面２３と、右側を向いた右側面２４ａと、左側を向いた左側面２４ｂと、後方を向いた後面２５とを有している。更に、ハウジング１０は、右側面２４ａ及び左側面２４ｂをそれぞれ左右方向外側からスロット２０内に貫通した２つのスリット２１を有している。
【００１３】
図２に示すように、２つのコンタクト１２はそれぞれＬ字状に形成されている。コンタクト１２は、ハウジング１０の後面２５外側からスロット２０内に挿入することによりハウジング１０に保持される。コンタクト１２は挿入方向に延びた直線部１２ａと当該直線部１２ａから下方に延びて基板に接続可能に形成された他の直線部１２ｂとを有している。他の直線部１２ｂの端子部はハウジング１０の下面２３よりも下方に突出し、基板に接続される（図示せず）。
【００１４】
図２の分解斜視図及び図３の斜視図に示すように、シェル１１は、上板部３０と右板部３１ａと左板部３１ｂと後板部３２と右折り曲げ部３３ａと左折り曲げ部３３ｂと右覆い部３４ａと左覆い部３４ｂと４つのはんだ付け部３５と２つの爪部３６とを有する。シェル１１は、１枚の導電性の板材を曲げ加工することによって形成されている。
【００１５】
上板部３０は、左右方向及び前後方向に広がる長方形状をもち、ハウジング１０の上面２２を覆うように延設されている。
【００１６】
右板部３１ａ及び左板部３１ｂは、それぞれ、上板部３０の右縁部及び左縁部から下方に向かって延設され、ハウジング１０の右側面２４ａ及び左側面２４ｂを覆うのに適するように前後方向及び上下方向に広がった長方形状をもつ。
【００１７】
後板部３２は、上板部３０の後方縁部から下方に向かって延設され、ハウジング１０の後面２５を覆うのに適するように上下方向及び左右方向に広がった長方形状をもつ。
【００１８】
右折り曲げ部３３ａ及び左折り曲げ部３３ｂは、それぞれ、後板部３２の右縁部及び左縁部から前方に向かって延設されており、右板部３１ａ及び左板部３１ｂの後端付近の一部を覆うように延設されている。右折り曲げ部３３ａは、右板部３１ａと後板部３２との間に形成されて上下方向に延びた隙間を覆っている。左折り曲げ部３３ｂは、左板部３１ｂと後板部３２との間に形成されて上下方向に延びた隙間を覆っている。
【００１９】
図３及び図４に示すように、シェル１１は、上板部３０と後板部３２と右板部３１ａで囲まれた右角部３７ａと、上板部３０と後板部３２と左板部３１ｂで囲まれた左角部３７ｂを規定している。上板部３０と右板部３１ａとの接続部分、上板部と左板部３１ｂとの接続部分、及び、上板部３０と後板部３２との接続部分には、緩やかに屈曲した曲げしろが設けられているため、右角部３７ａ及び左角部３７ｂに窪みが生じると共に、右角部３７ａ及び左角部３７ｂ内にはシェル１１の内外に通じる隙間３８ａと隙間３８ｂが生じている。
【００２０】
図３に示すように、右覆い部３４ａ及び左覆い部３４ｂは、それぞれ、右折り曲げ部３３ａ及び左折り曲げ部３３ｂの側縁部すなわち上板部３０に近い上方端部に配設されている。図４に示すように、右覆い部３４ａは、第１の部位４１と第２の部位４２とで構成されるＬ字形状をもつ。第１の部位４１は、前端で右折り曲げ部３３ａに接続されて前後方向に延設されている。第２の部位４２は、第１の部位４１の後端から右角部３７ａ内に向かって延設され、隙間３８ａを覆っている。右覆い部３４ａと鏡像関係の形状をもった左覆い部３４ｂは、左角部３７ｂ内の隙間３８ｂを覆っている。
【００２１】
右覆い部３４ａ及び左覆い部３４ｂを設けることにより、右角部３７ａ及び左角部３７ｂに形成された隙間３８ａ及び隙間３８ｂを覆うことができ、従来よりもＥＭＩ対策性能を高めることができる。更に、右覆い部３４ａ及び左覆い部３４ｂをシェル１１の他の構成要素と一体的に一連のプレス加工によって形成することができるため、部品点数を増加させずに容易に製造することができる。更に、右覆い部３４ａ及び左覆い部３４ｂを設けることにより、隙間３８ａ及び隙間３８ｂからシェル１１内に塵や埃が入ることを防止することができる。
【００２２】
右覆い部３４ａ及び左覆い部３４ｂは、上板部３０と後板部３２との間の曲げしろの幅を活用して、シェル１１の他の構成要素と一体に１枚の導電部材から形成することができる。
【００２３】
第１の部位４１と第２の部位４２とが接続されたＬ字の屈曲部の内側にはノッチ４３が設けられているため、右覆い部３４ａ及び左覆い部３４ｂのＬ字形状を直角に近く形成することができる。
【００２４】
４つのはんだ付け部３５は、右板部３１ａ、左板部３１ｂ、及び、後板部３２の下方縁部から下方に向かって突設されている。はんだ付け部３５は、基板に搭載される時に基板にはんだ付けされる。
【００２５】
２つの爪部３６は、それぞれ、右板部３１ａ及び左板部３１ｂの前方縁部から前方に向かって突設されており、先端部が内側に向かって屈曲している。図１に示すように、ハウジング１０とシェル１１が組み合わされた状態で、２つの爪部３６が２つのスリット２１に嵌め合わされる。
【００２６】
なお、図５の上面図に示すように、シェル１１は、右板部３１ａの後縁部から後板部３２の右縁部を覆うように左方に向けて延設された右折り曲げ部５３ａと、右折り曲げ部５３ａの上端から右角部３７ａ内に延設された右覆い部５４ａと、左板部３１ｂの後縁部から後板部３２の左縁部を覆うように右方に向かって延設された左折り曲げ部５３ｂと、左折り曲げ部５３ｂの上端から左角部３７ｂ内に延設された左覆い部５４ｂとを有するものであってもよい。
【００２７】
また、図６の背面図に示すように、シェル１１は、上板部３０の右縁部から右板部３１ａの上縁部を覆うように下方に向けて延設された右折り曲げ部６３ａと、右折り曲げ部６３ａの後端から右角部３７ａ内に延設された右覆い部６４ａと、上板部３０の左縁部から左板部３１ｂの上縁部を覆うように下方に向かって延設された左折り曲げ部６３ｂと、左折り曲げ部６３ｂの後端から左角部３７ｂ内に延設された左覆い部６４ｂとを有するものであってもよい。
【００２８】
以上、本願発明を実施形態に基づき具体的に説明したが、本願発明はこれら実施形態に限定されるものではなく、その趣旨を逸脱しない範囲で種々変更して実施することが可能である。
【図面の簡単な説明】
【００２９】
【図１】コネクタの前方斜視図である。
【図２】コネクタの斜視分解図である。
【図３】図１のシェルの後方斜視図である。
【図４】図３のシェルの部分上面図である。
【図５】他の実施形態のシェルの部分上面図である。
【図６】更に他の実施形態のシェルの部分背面図である。
【符号の説明】
【００３０】
１  コネクタ
１０  ハウジング
１１  シェル
１２  コンタクト
１２ａ，１２ｂ  直線部、他の直線部
２０  スロット
２１  スリット
２２、２３  上面、下面
２４ａ、２４ｂ  右側面、左側面
２５  後面
３０  上板部
３１ａ、３１ｂ  右板部、左板部
３２  後板部
３３ａ、３３ｂ  右折り曲げ部、左折り曲げ部
３４ａ、３４ｂ  右覆い部、左覆い部
３５  はんだ付け部
３６  爪部
３７ａ、３７ｂ  右角部、左角部
３８ａ、３８ｂ  隙間
４１、４２  第１の部位、第２の部位
４３  ノッチ
５３ａ、５３ｂ  右折り曲げ部、左折り曲げ部
５４ａ、５４ｂ  右覆い部、左覆い部
６３ａ、６３ｂ  右折り曲げ部、左折り曲げ部
６４ａ、６４ｂ  右覆い部、左覆い部
【図１】
2008198547.tif 000003
【図２】
2008198547.tif 000004
【図３】
2008198547.tif 000005
【図４】
2008198547.tif 000006
【図５】
2008198547.tif 000007
【図６】
2008198547.tif 000008